(57)【要約】【課題】  取付板と本体ケースとをねじにて確実にかつ容易に締め付けることができ、取付板と本体ケースとのがたつきを防止して、作業性および安全性を向上したドアクローザ取付構造を提供することにある。【解決手段】  このドアクローザ取付構造では、本体ケース２のボス部３０の溝部３１にて、取付板１の幅広部１３を前後方向に挟持するので、取付板１と本体ケース２との係止状態において、取付板１と本体ケース２の相対的な移動量を大きくできる。【選択図】  図３
2006029008.tif 000002
【特許請求の範囲】
【請求項１】
取付板と、
開口部を有する本体ケースと、
この本体ケースの開口部に上記取付板を嵌め込んだ状態で、上記本体ケースを上記取付板に対して相対的に左右方向の一方側に移動させて、上記取付板と上記本体ケースとを左右方向の一方側で前後方向および左右方向に係止した状態にする係止手段と、
上記本体ケースの開口部に上記取付板を嵌め込んだ状態で、上記取付板と上記本体ケースとを左右方向の他方側で固定する固定手段と
を備え、
上記係止手段は、
上記取付板の左右方向の一方側に設けられた幅狭部およびこの幅狭部の左右方向の一方側に連なる幅広部と、
上記本体ケースの開口部の左右方向の一方側に設けられると共に、上記取付板の幅広部を前後方向に挟持する溝部を有するボス部と
を備えることを特徴とするドアクローザ取付構造。
【請求項２】
請求項１に記載のドアクローザ取付構造において、
上記ボス部の溝部は、この溝部の幅が左右方向の他方側に行くに従って次第に狭くなるように形成されていることを特徴とするドアクローザ取付構造。
【請求項３】
請求項１に記載のドアクローザ取付構造において、
上記固定手段は、
上記取付板の左右方向の他方側に設けられた折曲部と、
上記本体ケースの左右方向の他方側に設けられた側壁と、
上記折曲部と上記側壁とを貫通するねじ部材と
を備え、
上記折曲部と上記側壁は、当接した状態で、上記ねじ部材にて締め付けられることを特徴とするドアクローザ取付構造。
【発明の詳細な説明】
【技術分野】
【０００１】
この発明は、例えば、開状態の扉を自動的に閉じるようにするドアクローザの扉への取付構造に関する。
【背景技術】
【０００２】
従来のドアクローザ取付構造は、扉に取り付けられる取付板と開口部を有する本体ケースとを備え、上記本体ケースの開口部に上記取付板を嵌め込んだ状態で、上記取付板と上記本体ケースは、左右方向の一方側で前後方向に係止される一方、左右方向の他方側で２本のねじによって固定される（実公平６−４９８０４号公報：特許文献１参照）。
【０００３】
具体的に述べると、上記取付板と上記本体ケースとの左右方向の一方側での係止状態は、図７Ａと図７Ｂに示すように、上記取付板１０１の段付部１１１が、上記本体ケース１０２のボス部１２０の溝部１２１に当接している。
【０００４】
また、上記取付板と上記本体ケースとの左右方向の他方側での係止状態は、図示しないが、上記取付板と上記本体ケースは、隙間をもって、２本のねじにて締め付けられている。
【０００５】
しかしながら、上記従来のドアクローザ取付構造では、図７Ａと図７Ｂに示すように、上記取付板１０１の段付部１１１が、上記本体ケース１０２の溝部１２１に当接しており、上記取付板１０１は、ねじにて締め付けられる方向と逆方向（矢印Ａ方向）のみで、ねじの締め付けの反力を受けているので（すなわち、上記取付板１０１は、ねじの締め付け方向の当たりのみで、ねじの締め付けの反力をとっているので）、ねじの締め付けによる上記取付板１０１と上記本体ケース１０２の相対的な移動量は小さい。
【０００６】
すなわち、上記従来のドアクローザ取付構造では、上記取付板１０１および上記本体ケース１０２の部品の寸法誤差を吸収する構造がないため、上記取付板１０１と上記本体ケース１０２の間に隙間を設けて、部品の寸法誤差を吸収する必要があった。
【０００７】
このように、上記従来のドアクローザ取付構造では、上記取付板１０１と上記本体ケース１０２の間に隙間を有するので、２本のねじを同じトルクで締め付けようとしても、ねじを片方ずつ締め付けることで、上記取付板１０１の段付部１１１の上記本体ケース１０２の溝部１２１への食い込み量が、そのたび毎に変化してしまい、何度か繰り返して一定トルクでねじを締め付ける必要があった。
【０００８】
また、上記取付板１０１の段付部１１１と、上記取付板１０１のねじにて締め付けられる部位との距離が長いため、部品の変形および弾力性を無視できずに、何度が繰り返して一定トルクでねじを締め付ける必要があった。
【特許文献１】実公平６−４９８０４号公報
【発明の開示】
【発明が解決しようとする課題】
【０００９】
そこで、この発明の課題は、上記取付板と上記本体ケースとをねじにて確実にかつ容易に締め付けることができ、上記取付板と上記本体ケースとのがたつきを防止して、作業性および安全性を向上したドアクローザ取付構造を提供することにある。
【課題を解決するための手段】
【００１０】
上記課題を解決するため、この発明のドアクローザ取付構造は、
取付板と、
開口部を有する本体ケースと、
この本体ケースの開口部に上記取付板を嵌め込んだ状態で、上記本体ケースを上記取付板に対して相対的に左右方向の一方側に移動させて、上記取付板と上記本体ケースとを左右方向の一方側で前後方向および左右方向に係止した状態にする係止手段と、
上記本体ケースの開口部に上記取付板を嵌め込んだ状態で、上記取付板と上記本体ケースとを左右方向の他方側で固定する固定手段と
を備え、
上記係止手段は、
上記取付板の左右方向の一方側に設けられた幅狭部およびこの幅狭部の左右方向の一方側に連なる幅広部と、
上記本体ケースの開口部の左右方向の一方側に設けられると共に、上記取付板の幅広部を前後方向に挟持する溝部を有するボス部と
を備えることを特徴としている。
【００１１】
ここで、左右方向とは、上記取付板を扉に取り付けたときの左右の方向をいい、上下方向とは、上記取付板を扉に取り付けたときの上下の方向をいう。前後方向とは、上記本体ケースの開口部が形成する開口面に対して垂直な方向をいい、言い換えると、上記取付板の上記扉への取付面に対して垂直な方向をいう。前方向とは、上記扉の取付面側をいい、後方向とは、上記扉の取付面の裏面側をいう。
【００１２】
この発明のドアクローザ取付構造によれば、上記本体ケースのボス部の溝部にて、上記取付板の幅広部を前後方向に挟持するので、上記取付板と上記本体ケースとの係止状態において、上記取付板と上記本体ケースの相対的な移動量を大きくできる。
【００１３】
例えば、上記固定手段がねじを有する場合、上記取付板は、ねじにて締め付けられる方向（左右方向）と略垂直な方向（前後方向）で、ねじの締め付けの反力を受けているので（すなわち、上記取付板は、ねじの締め付け方向と略垂直な方向のクランプで、ねじの締め付けの反力をとっているので）、ねじの締め付けによる上記取付板と上記本体ケースの相対的な移動量を大きくできる。
【００１４】
すなわち、上記係止手段は、上記取付板および上記本体ケースの部品の寸法誤差を吸収する構造であるため、（従来のような）上記取付板と上記本体ケースの間に隙間を設けて上記取付板と上記本体ケースとを固定する必要がない。
【００１５】
このように、上記取付板と上記本体ケースとを密着した状態でねじにて締め付ける（密着方式という）ことができるので、（従来のような）繰り返して交互にねじを締め付ける必要がなく、上記取付板と上記本体ケースとをねじにて確実にかつ容易に締め付けることができる。
【００１６】
また、上記取付板は、ねじの締め付け方向と略垂直な方向のクランプで、ねじの締め付けの反力をとっているので、上記取付板の幅広部は、上記本体ケースの溝部から外れにくく、上記取付板と上記本体ケースとの係止状態を維持できる。この結果、上記取付板と上記本体ケースとのがたつきを防止し、上記取付板と上記本体ケースとを固定しているねじの緩みを防止できる。
【００１７】
また、一実施形態のドアクローザ取付構造では、上記ボス部の溝部は、この溝部の幅が左右方向の他方側に行くに従って次第に狭くなるように形成されている。
【００１８】
この一実施形態のドアクローザ取付構造によれば、上記ボス部の溝部の形状は、いわゆるくさび形状であるので、上記溝部を簡単な形状にできると共に、上記取付板の幅広部を上記本体ケースの溝部に確実に挟持できて、上記取付板と上記本体ケースとの係止状態を維持できる。
【００１９】
また、一実施形態のドアクローザ取付構造では、
上記固定手段は、
上記取付板の左右方向の他方側に設けられた折曲部と、
上記本体ケースの左右方向の他方側に設けられた側壁と、
上記折曲部と上記側壁とを貫通するねじ部材と
を備え、
上記折曲部と上記側壁は、当接した状態で、上記ねじ部材にて締め付けられる。
【００２０】
この一実施形態のドアクローザ取付構造によれば、上記折曲部と上記側壁は、当接した状態で、上記ねじ部材にて締め付けられるので、作業者は、上記取付板と上記本体ケースを上記ねじ部材にて締め込むときに、締め付けトルクの変化を感じることができて、感覚的に締め込んだことがわかる。このように、上記取付板と上記本体ケースを上記ねじ部材にて確実に締め込むことができて、緩みにくい締結状態を維持できる。
【００２１】
また、一実施形態のドアクローザ取付構造では、上記取付板は、上記本体ケースよりもかたい。例えば、上記取付板は、板金であり、上記本体ケースは、アルミである。
【００２２】
この一実施形態のドアクローザ取付構造によれば、上記取付板は、上記本体ケースよりもかたいので、上記取付板と上記本体ケースとを上記ねじ部材にて締め付けるときに、上記取付板は、上記本体ケースを削りながら相対的に移動できて、部品の公差を吸収でき、応用範囲の広いものになる。
【発明の効果】
【００２３】
この発明のドアクローザ取付構造によれば、上記本体ケースのボス部の溝部にて、上記取付板の幅広部を前後方向に挟持するので、上記取付板と上記本体ケースとを上記ねじ部材にて確実にかつ容易に締め付けることができ、上記取付板と上記本体ケースとのがたつきを防止して、作業性および安全性を向上できる。
【発明を実施するための最良の形態】
【００２４】
以下、この発明を図示の実施の形態により詳細に説明する。
【００２５】
（第１の実施形態）
図１は、この発明のドアクローザ取付構造の第１の実施形態である斜視図を示している。このドアクローザは、扉５０に取り付けられる取付板１と、この取付板１に取り付けられる本体ケース２とを備える。
【００２６】
上記扉５０は、通路枠５１の横枠５１ａに、図示しない蝶番にて、開閉可能に取り付けられた開き扉である。上記取付板１は、上記扉５０の一方側の面（前面）の上部に、ねじによって、固定される。上記本体ケース２の内部には、図示しないラックピストン、ピニオンおよびピニオン軸等が取り付けられる。
【００２７】
上記通路枠５１の上枠５１ｂには、ブラケット５２が固定され、このブラケット５２は、上記扉５０が開く方向とは逆側（前側）に突出している連結部５２ａを有している。
【００２８】
上記本体ケース２から突出している図示しない上記ピニオン軸には、アーム５３の基端が固定される。上記ブラケット５２の連結部５２ａには、リンク５４の一端が枢結され、上記アーム５３の先端には、上記リンク５４の他端が枢結される。
【００２９】
そして、上記構成のドアクローザは、開状態の上記扉５０に対して、上記扉５０が閉じる方向に付勢して、開状態の上記扉５０を自動的に閉じるようにしている。
【００３０】
上記ドアクローザの上記扉５０への取付構造は、図２の背面図に示すように、上記取付板１と、開口部２ａを有する上記本体ケース２と、上記本体ケース２の開口部２ａに上記取付板１を嵌め込んだ状態で、上記本体ケース２を上記取付板１に対して相対的に左右方向の一方側（左側）に移動させて、上記取付板１と上記本体ケース２とを左右方向の一方側（左側）で前後方向および左右方向に係止した状態にする係止手段３と、上記本体ケース２の開口部２ａに上記取付板１を嵌め込んだ状態で、上記取付板１と上記本体ケース２とを左右方向の他方側（右側）で固定する固定手段４とを備える。
【００３１】
ここで、図１と図２に示すように、左右方向とは、上記取付板１を上記扉５０に取り付けたときの左右の方向をいい、右方向とは、矢印Ｒに示すように、上記本体ケース２の開口部２ａ側からみて右側をいい、左方向とは、矢印Ｌに示すように、上記本体ケース２の開口部２ａ側からみて左側をいう。上下方向とは、上記取付板１を上記扉５０に取り付けたときの上下の方向をいう。前後方向とは、上記本体ケース２の開口部２ａが形成する開口面に対して垂直な方向をいい、言い換えると、上記取付板１の上記扉５０への取付面に対して垂直な方向をいう。前方向とは、矢印Ｆに示すように、上記扉５０の取付面側をいい、後方向とは、矢印Ｂに示すように、上記扉５０の取付面と反対側の裏面をいう。
【００３２】
すなわち、左右方向は、上記取付板１および上記本体ケース２の長手方向に一致し、上下方向は、上記取付板１および上記本体ケース２の短手方向に一致する。
【００３３】
上記取付板１は、例えば、板金からなり、本体部１５と、この本体部１５の右側の端縁から上記本体ケース２の内部側（前方側）へ折り曲げられた折曲部１０とを備える。
【００３４】
上記本体部１５は、左側に設けられた幅狭部１２と、この幅狭部１２の左側に連なる幅広部１３とを備える。上記本体部１５の左右の端部には、上記取付板１を上記扉５０へ固定する（図５参照の）ねじ８が挿通される複数の取付孔１４が、設けられている。
【００３５】
上記折曲部１０には、上記取付板１と上記本体ケース２とを固定するねじ部材６が螺合する（図示しない）ねじ孔が、設けられている。
【００３６】
上記本体ケース２は、例えば、アルミダイキャストからなり、上壁２１、下壁２２、左右側壁２３，２４および前壁２５を備える。上記右側壁２３には、上記ねじ部材６が螺合する（図示しない）ねじ孔が、設けられている。
【００３７】
上記本体ケース２の開口部２ａの左側で、上記上壁２１および上記下壁２２には、内側を向くボス部３０が設けられている。上記本体ケース２の開口部２ａの右側で、上記上壁２１および上記下壁２２には、内側を向く突部２７が設けられている。
【００３８】
上記本体ケース２の開口部２ａの左右方向の大きさは、上記本体ケース２の開口部２ａに上記取付板１を嵌め込んだ状態で、左右方向に所定の大きさの隙間を有するように、設定されている。
【００３９】
上記本体ケース２の上下の突部２７，２７の間の大きさは、上記取付板１の右側の上下方向の大きさよりも若干大きく設定される。上記本体ケース２の上下のボス部３０，３０の間の大きさは、上記取付板１の幅狭部１２の上下方向の大きさよりも若干大きく、かつ、上記取付板１の幅広部１３の上下方向の大きさよりも小さく設定される。
【００４０】
上記本体ケース２のボス部３０は、上記取付板１の幅広部１３を前後方向に挟持する溝部３１を有する。
【００４１】
この溝部３１は、図３の斜視図および図４の平面図に示すように、上記ボス部３０の左側面、および、上記ボス部３０の上下方向の上記取付板１側の面を切り欠いて形成されると共に、上記溝部３１の幅が右側に行くに従って次第に狭くなるように形成され、さらに、上記溝部３１の幅が上記溝部３１の上下方向の内部奥側に行くに従って次第に狭くなるように形成されている。この溝部３１は、例えば、エンドミル等の切削工具を用いて形成される。なお、図３および図４では、下側のボス部３０を描いている。
【００４２】
また、上記取付板１の幅広部１３は、傾斜面１７、および、この傾斜面１７に連なる角部１７ａを有する。
【００４３】
そして、上記本体ケース２の開口部２ａに上記取付板１を嵌め込み、上記溝部３１の内部に、上記幅広部１３（上記傾斜面１７および上記角部１８）を嵌め込むことで、上記取付板１と上記本体ケース２とを、前後方向および左右方向に係止させることができる。
【００４４】
上記係止手段３は、上記取付板１の幅狭部１２および幅広部１３と、上記本体ケース２のボス部３０とを備える。上記取付板１の幅広部１３と上記本体ケース２のボス部３０とは、前後方向および左右方向に係合する。
【００４５】
上記固定手段４は、上記取付板１の折曲部１０と、上記本体ケース２の右側壁２３と、上記折曲部１０のねじ孔と上記右側壁２３のねじ孔とを貫通する上記ねじ部材６とを備える。そして、図５に示すように、上記折曲部１０と上記右側壁２３は、当接した状態で、上記ねじ部材６にて締め付けられる。
【００４６】
次に、図１と図２に示すように、上記ドアクローザを上記扉５０に取り付ける方法について説明する。
【００４７】
まず、上記取付板１を、上記扉５０の上部前面に、（図５参照の）ねじ８によって、固定する。そして、上記本体ケース２の上下のボス部３０，３０の間に、上記取付板１の幅狭部１２を嵌め込んでから、上記本体ケース２を左側に移動させ、上記取付板１の幅広部１３を上記ボス部３０の溝部３１の内部に挿入して、上記本体ケース２を上記取付板１に係止させる。
【００４８】
このとき、上記取付板１は、上記本体ケース２における右側の上下の突部２７，２７および左側の上下のボス部３０，３０によって、保持されるので、上記取付板１のセンターを出しやすくなって、上記取付板１のねじ孔と上記本体ケース２のねじ孔とを一致させることができる。
【００４９】
その後、上記本体ケース２と上記取付板１とを上記ねじ部材６にて締め付けていくと、図４に示すように、上記取付板１の上記幅広部１３は、次第に狭くなる上記本体ケース２の上記幅部３１の内部を進入していく。このとき、上記取付板１は上記本体ケース２よりもかたいので、上記幅広部１３は、上記溝部３１の内面を削りながら相対的に移動して、図５に示すように、上記取付板１の折曲部１０と上記本体ケース２の右側壁２３は、当接する。
【００５０】
すなわち、上記取付板１の折曲部１０と上記本体ケース２の右側壁２３が当接して、上記ねじ部材６の締め付けが完了したとき、図３、図６Ａおよび図６Ｂに示すように、上記本体ケース２の溝部３１の内面において、（細かいハッチングにて示す）領域Ｚが削り取られる。
【００５１】
このように、上記取付板１の幅広部１３は、上記本体ケース２の溝部３１の内面に食い込んで、上記取付板１は、主に、上記ねじ部材６にて締め付けられる方向（右方向）と略垂直な方向（前後方向）で、上記ねじ部材６の締め付けの反力を矢印に示すように受ける。もちろん、上記取付板１は、上記ねじ部材６にて締め付けられる方向（右方向）と逆方向（左方向）でも、僅かながら、上記ねじ部材６の締め付けの反力を受ける。
【００５２】
そして、上記幅広部１３は上記溝部３１に前後方向に挟持されて、上記本体ケース２を上記取付板１に前後方向および左右方向に係止した状態する。また、上記ねじ部材６の締め付けにより、上記本体ケース２を上記取付板１に固定する。
【００５３】
最後に、図１に示すように、上記本体ケース２に、上記アーム５３、上記リンク５４および上記ブラケット５２を連結して、上記ドアクローザを上記扉５０に取り付けることができる。
【００５４】
上記構成のドアクローザ取付構造によれば、上記本体ケース２のボス部３０の溝部３１にて、上記取付板１の幅広部１３を前後方向に挟持するので、上記取付板１と上記本体ケース２との係止状態において、上記取付板１と上記本体ケース２の相対的な移動量を大きくできる。
【００５５】
すなわち、上記取付板１は、上記ねじ部材６の締め付け方向と略垂直な方向のクランプで、ねじの締め付けの反力をとっているので、ねじの締め付けによる上記取付板１と上記本体ケース２の相対的な移動量を大きくできる。
【００５６】
このように、上記係止手段３は、上記取付板１および上記本体ケース２の部品の寸法誤差を吸収する構造であるため、（従来のような）上記取付板と上記本体ケースの間に隙間を設けて上記取付板と上記本体ケースとを固定する必要がない。
【００５７】
したがって、上記取付板１と上記本体ケース２とを密着した状態で上記ねじ部材６にて締め付ける（密着方式という）ことができるので、（従来のような）繰り返して交互にねじを締め付ける必要がなく、上記取付板１と上記本体ケース２とを上記ねじ部材６にて確実にかつ容易に締め付けることができる。
【００５８】
また、上記取付板１は、ねじの締め付け方向と略垂直な方向のクランプで、ねじの締め付けの反力をとっているので、上記取付板１の幅広部１３は、上記本体ケース２の溝部３１の内面から外れにくく、上記取付板１と上記本体ケース２との係止状態を維持できる。この結果、上記取付板１と上記本体ケース２とのがたつきを防止し、上記取付板１と上記本体ケース２とを固定している（図５参照の）ねじ８の緩みを防止できる。
【００５９】
また、上記ボス部３０の溝部３１の形状は、いわゆるくさび形状であるので、上記溝部３１を簡単な形状にできると共に、上記取付板１の幅広部１３を上記本体ケース２の溝部３１に確実に挟持できて、上記取付板１と上記本体ケース２との係止状態を維持できる。
【００６０】
また、上記取付板１の折曲部１０と上記本体ケース２の右側壁２３は、当接した状態で、上記ねじ部材６にて締め付けられるので、作業者は、上記取付板１と上記本体ケース２を上記ねじ部材６にて締め込むときに、締め付けトルクの変化を感じることができて、感覚的に締め込んだことがわかる。このように、上記取付板１と上記本体ケース２を上記ねじ部材６にて確実に締め込むことができて、緩みにくい締結状態を維持できる。
【００６１】
また、上記取付板１は、上記本体ケース２よりもかたいので、上記取付板１と上記本体ケース２とを上記ねじ部材６にて締め付けるときに、上記取付板１は、上記本体ケース２を削りながら相対的に移動できて、部品の公差を吸収でき、応用範囲の広いものになる。
【００６２】
なお、この発明は上述の実施形態に限定されない。例えば、上記ボス部の溝部は、図示しないが、上記ボス部の左右側面を貫通するように形成してもよい。また、上記ボス部の溝部は、この溝部の幅が左右方向の他方側に行くに従って段階的に狭くなるように形成してもよい。また、上記ボス部の溝部の内面に突起部を設けて、上記取付板１の幅広部１３を強力に挟持するようにしてもよい。
【図面の簡単な説明】
【００６３】
【図１】この発明のドアクローザを扉に取り付けた状態を示す斜視図である。
【図２】この発明のドアクローザ取付構造の一実施形態を示す背面図である。
【図３】係止手段を示す斜視図である。
【図４】係止手段を示す平面図である。
【図５】固定手段を示す底面断面図である。
【図６Ａ】係止手段の作用を示す平面断面図である。
【図６Ｂ】係止手段の作用を示す側面断面図である。
【図７Ａ】従来のドアクローザ取付構造の係止状態を示す側面断面図である。
【図７Ｂ】従来のドアクローザ取付構造の係止状態を示す平面断面図である。
【符号の説明】
【００６４】
１    取付板
２    本体ケース
２ａ  開口部
３    係止手段
４    固定手段
６    ねじ部材
１０  折曲部
１２  幅狭部
１３  幅広部
２３  右側壁
３０  ボス部
３１  溝部
５０  扉
Ｒ    右方向
Ｌ    左方向
Ｆ    前方向
Ｂ    後方向
【図１】
2006029008.tif 000003
【図２】
2006029008.tif 000004
【図３】
2006029008.tif 000005
【図４】
2006029008.tif 000006
【図５】
2006029008.tif 000007
【図６Ａ】
2006029008.tif 000008
【図６Ｂ】
2006029008.tif 000009
【図７Ａ】
2006029008.tif 000010
【図７Ｂ】
2006029008.tif 000011